(57)【特許請求の範囲】
【請求項１】
量子化された複合映像信号を入力して黒白信号成分と色信号成分に分離して出力する黒白／色信号分離手段と、
前記黒白／色信号分離手段から出力される色信号成分から色素成分を分離する色信号復調手段と、
前記色信号復調手段に入力された信号や出力される信号が正常的な信号であるか否かを検出してこれに該当するロック信号を出力するロック検出手段と、
前記色信号復調手段から出力された色素信号成分と可変設定される色素信号成分をマルチプレクスして出力する色信号制御手段と、
前記黒白／色信号分離手段から出力される黒白信号成分と可変設定される黒白信号成分をマルチプレクスして出力する黒白信号制御手段と、
前記ロック検出手段から出力されるロック信号を前記黒白信号制御手段及び色信号制御手段に出力することを特徴とする複合映像機器の出力映像信号変換装置。
【請求項２】
前記ロック検出手段は前記色信号復調手段から出力される信号が正常的な信号であるか否かを検出して所定のレベルを有するロック信号を出力するように構成されたことを特徴とする請求項１記載の複合映像機器の出力映像信号変換装置。
【請求項３】
前記色信号制御手段は画面に表示する色素信号が水平色信号であるかどうか、もしくは水平信号であるかどうかを選擇するために外部から供給される信号Ｃｂ，Ｃｒに応じて水平色素信号の制御データ入力手段と垂直色素信号の制御データ入力手段から出力されるデータをマルチプレクスして出力する第１のマルチプレクサと、前記第１のマルチプレクサより出力される信号成分と前記色信号復調手段から出力された色素信号成分を前記ロック検出手段により出力されるロック信号のレベルによりマルチプレクスして出力する第２のマルチプレクサとから構成されていることを特徴とする請求項１に記載の複合映像機器の出力映像信号変換装置。
【請求項４】
前記色信号制御手段から出力される色素信号を入力して遅延出力する第２の遅延手段は黒白／色信号分離手段に映像信号が入力されるかどうかを検出してこれに該当する信号（Ｖｉｄｅｏ）を出力する映像信号検出手段の出力に従って前記色信号制御手段より出力される色素信号成分を出力するか又は初期値に設定された色素信号を出力するように構成されていることを特徴とする請求項１記載の複合映像機器の出力映像信号変換装置。
【請求項５】
前記黒白信号制御手段はユーザが所望の値に黒白信号成分を調整するためのデータを入力する黒白信号制御データ入力手段から出力された信号と黒白／色信号分離手段から出力される色信号成分Ｙをロック検出手段より出力されるロック信号によりマルチプレクスして出力するマルチプレクサから構成されていることを特徴とする請求項１記載の複合映像機器の出力映像信号変換装置。
【請求項６】
前記黒白信号制御手段から出力される黒白信号成分を遅延出力する第１の遅延手段は黒白／色信号分離手段に映像信号が入力されるか否かを検出してこれに該当する信号（Ｖｉｄｅｏ）を出力する映像信号検出手段の出力により前記黒白信号制御手段から出力される黒白信号成分を出力するか又は初期値に設定された黒白信号を出力するようにＤ型フリップフロップからなることを特徴とする請求項１または請求項５に記載の複合映像機器の出力映像信号変換装置。
【請求項７】
量子化された複合映像信号を入力して黒白信号成分と色信号成分に分離して出力する段階と、
前記黒白／色信号分離手段から出力される色信号成分から色素成分を分離する段階と、
前記色信号復調手段に入力された信号や出力される信号が正常的な信号であるか否かを検出してこれに該当するロック信号を出力する段階と、
前記色信号復調手段から出力された色素信号成分と可変設定される色素信号成分をマルチプレクスして出力する段階と、
前記黒白／色信号分離手段から出力される黒白信号成分と可変設定される黒白信号成分をマルチプレクスして出力する段階と、
前記ロック検出手段から出力されるロック信号を前記黒白信号制御手段及び色信号制御手段に出力する段階と、
からなることを特徴とする複合映像機器の出力映像信号変換方法。
【請求項８】
前記色信号判別ステップで判別した結果、色信号がないと入力された信号が正常的な黒白信号であるか否かを判別する黒白信号判別ステップをさらに備えたことを特徴とする請求項７記載の複合映像機器の出力映像信号変換方法。
【請求項９】
前記黒白信号判別ステップで判別した結果、正常的な黒白信号である場合これをクロックに同期させて出力する第１の出力ステップをさらに備えたことを特徴とする請求項８記載の複合映像機器の出力映像信号変換方法。
【請求項１０】
前記黒白信号判別ステップで判別した結果、正常的な黒白信号でないとき黒白信号を設定されたレベルに変更した後クロックに同期して出力する第２のステップをさらに備えたことを特徴とする請求項８記載の複合映像機器の出力映像信号変換方法。
【発明の詳細な説明】
【０００１】
【発明の属する技術分野】
本発明は複合映像機器の出力映像信号変換装置及びその方法に関し、より詳しくは、正常的な映像信号が入力されない時システム内部に設定された値に黒白／色素信号成分を出力するとか外部から供給されたデータに応じて黒白／色素信号成分を出力して画面に表示することによりシステムの動作状態及びシステムボードの製作状態が容易に判るような複合映像機器の出力映像信号変換装置及びその方法に関するものである。
【０００２】
【従来の技術】
一般に、マルチメディアのビデオ応用分野において信号処理用の集積回路（ＩＣ）が処理すべき機能は、従来においてＮＴＳＣ，ＰＡＬ，ＳＥＣＡＭの各放送規格に合致する専用信号処理機能より発展して１つの集積回路（ＩＣ）が入力される信号を選別して映像信号処理を行う多機能の役割まで果たす。これは、それぞれの放送方式規格に応じた映像信号処理後に規格に合致しない量子化された映像信号の規格が定められたＣＣＩＲ６０１である。
【０００３】
前記ＣＣＩＲ６０１において規定された量子化した映像信号を出力するためには、量子化された複合映像信号より黒白信号（輝度信号）または色信号を分離するが、分離された色信号成分には色素成分である水平信号成分Ｃｂと垂直信号成分Ｃｒとがカラー搬送波信号に変調されているので、色素成分を分離するためには色信号復調過程が必要である。
【０００４】
前記復調過程を行うとき、入力された信号が正常的な状態であるか、あるいは非正常的な状態（Ｌｏｃｋ）であるかを検出し、これにより既存のシステムでは黒白信号はそのまま通過させて色素信号の水平信号成分Ｃｂと垂直信号成分Ｃｒとはホワイトカラーバー（‘１２８’（８Ｂｉｔ基準））で固定されて出力するカラーキラー（Ｃｏｌｏｒ  Ｋｉｌｌｅｒ）機能が行われる。
【０００５】
前記のように作動する既存のシステムのマルチメディア用の映像信号過程は、ユーザが外部から調整できる機能があまり多く提供されていてユーザがボードを製作した状態で入力信号が非正常的であるとか、正常的な状態であるものの外部より調整できる値の供給を誤った場合にはユーザが製作したボードに異常が生じられたかどうかを検査する時は多くの時間がかかる問題点がある。また、前述の機能を持つ集積回路（ＩＣ）を用いてボードを製作したうえ検査する時は画面に表示するように映像信号を常に供給しなければならない不都合を有する。
【０００６】
【発明が解決しようとする課題】
図３は従来の複合映像機器の出力映像信号変換装置のブロック図である。
【０００７】
同図に示した黒白／色信号分離手段１に量子化された複合映像信号が入力されると、前記複合映像信号は黒白信号成分Ｙと色信号成分Ｃとに分けられる。前記色信号成分Ｃは色素成分の水平信号成分であるＣｂ信号と垂直信号成分であるＣｒ信号がカラー搬送波信号に変調されて色素成分を抽出することができないので、前記色信号成分Ｃは色信号復調手段２に供給されて復調される。
【０００８】
前記色信号復調手段２により復調された色信号は第２の遅延手段４に供給されるとともにロック検出手段３に供給されるが、前記ロック検出手段３は復調され入力された映像信号が正常的な映像信号であるか否かを判別する。その結果、正常的な映像信号であればロック検出手段３から出力される信号（Ｌｏｃｋ）が‘１’であり、非正常的な映像信号である場合には‘０’が出力される。
【０００９】
そして、前記第２の遅延手段４は、色信号復調手段２から出力された色素成分のＣｂ／Ｃｒ信号を入力してロック検出手段３から出力されるロック信号が“１”であれば色素信号Ｃｂ／Ｃｒをクロックに同期させて出力し、逆にロック検出手段３から出力されるロック信号が“０”であれば色素信号Ｃｂ／Ｃｒをホワイトカラーに固定させて出力する。第１の遅延手段５は、黒色／色信号分離手段１から抽出された黒白信号成分Ｙをクロックに同期させて出力する。
【００１０】
前述のように作動する従来の装置は、ボードを製作したあと検査する時入力される映像信号がないときはユーザが映像信号を別途に供給しなければならない問題点があった。
【００１１】
したがって、本発明は前記のような諸問題点を解消するため提案されたもので、本発明の目的は、正常的な映像信号が入力されない時システム内部に設定された値に黒白／色素信号成分を出力したり、外部から供給されたデータに応じて黒白／色素信号成分を出力したりしてディスプレイすることにより画面上の色合に合わせてシステムの動作状態及びボードの製作状態を容易に分かるように複合映像機器の出力映像信号変換装置及びその方法を提供することにある。
【００１２】
【課題を解決するための手段】
前記した目的を達成するために、請求項１記載の第１の発明による複合映像機器の出力映像信号変換装置は、量子化された複合映像信号を入力して黒白信号成分と色信号成分に分離して出力する黒白／色信号分離手段と、前記黒白／色信号分離手段から出力される色信号成分から色素成分を分離する色信号復調手段と、前記色信号復調手段に入力された信号や出力される信号が正常的な信号であるか否かを検出してこれに該当するロック信号を出力するロック検出手段と、前記色信号復調手段から出力された色素信号成分と可変設定される色素信号成分をマルチプレクスして出力する色信号制御手段と、前記黒白／色信号分離手段から出力される黒白信号成分と可変設定される黒白信号成分をマルチプレクスして出力する黒白信号制御手段とからなることを要旨とする。従って、正常的な映像信号が入力されない時システム内部に設定された値に黒白／色素信号成分を出力したり、外部から供給されたデータに応じて黒白／色素信号成分を出力したりしてディスプレイすることにより画面上の色合に合わせてシステムの動作状態及びボードの製作状態を容易に分かることができる。
【００１３】
請求項２記載の第２の発明は、前記ロック検出手段は前記色信号復調手段から出力される信号が正常的な信号であるか否かを検出して所定のレベルを有するロック信号を出力することを要旨とする。従って、映像信号が正常か否かを判別できる。
【００１４】
請求項３記載の第３の発明は、前記色信号制御手段は画面に表示する色素信号が水平色信号であるかどうか、もしくは水平信号であるかどうかを選擇するために外部から供給される信号Ｃｂ，Ｃｒに応じて水平色素信号の制御データ入力手段と垂直色素信号の制御データ入力手段から出力されるデータをマルチプレクスして出力する第１のマルチプレクサと、前記第１のマルチプレクサより出力される信号成分と前記色信号復調手段から出力された色素信号成分を前記ロック検出手段により出力されるロック信号のレベルによりマルチプレクスして出力する第２のマルチプレクサとから構成されていることをことを要旨とする。従って、システムの動作状態及びシステムボードの製作状態が容易に分かるようになる。
【００１５】
請求項４記載の第４の発明は、前記色信号制御手段から出力される色素信号を入力して遅延出力する第２の遅延手段は黒白／色信号分離手段に映像信号が入力されるかどうかを検出してこれに該当する信号（Ｖｉｄｅｏ）を出力する映像信号検出手段の出力に従って前記色信号制御手段より出力される色素信号成分を出力するとか初期値に設定された色素信号を出力するように構成されていることを要旨とする。従って、正常的な映像信号が入力されない時にシステムの動作状態及びボードの製作状態を容易に分かることができる。
【００１６】
請求項５記載の第５の発明は、前記黒白信号制御手段はユーザが所望の値に黒白信号成分を調整するためのデータを入力する黒白信号制御データ入力手段から出力された信号と黒白／色信号分離手段から出力される黒白信号成分Ｙをロック検出手段より出力されるロック信号によりマルチプレクスして出力するマルチプレクサから構成されていることを要旨とする。従って、正常的な映像信号が入力されない時にシステムの動作状態及びボードの製作状態を容易に分かることができる。
【００１７】
請求項６記載の第６の発明は、前記黒白信号制御手段から出力される黒白信号成分を遅延出力する第１の遅延手段は黒白／色信号分離手段に映像信号が入力されるか否かを検出してこれに該当する信号（Ｖｉｄｅｏ）を出力する映像信号検出手段の出力により前記黒白信号制御手段から出力される黒白信号成分を出力するとか初期値に設定された黒白信号を出力するようにＤ型フリップフロップからなることを要旨とする。従って、正常的な映像信号が入力されない時にシステムの動作状態及びボードの製作状態を容易に分かることができる。
【００１８】
請求項７記載の第７の発明は、量子化された複合映像信号に色信号があるか否かを判別する色信号判別ステップと、前記色信号判別ステップで判別した結果、色信号があると色信号を復調する色信号復調ステップと、前記色信号復調ステップで復調された信号が正常的な映像信号であるか否かを判別する映像信号判別ステップと、前記映像信号判別ステップで判別した結果、正常的な映像信号である場合色素信号をクロックに同期して出力する色信号出力ステップとからなることを要旨とする。従って、正常的な映像信号が入力されない時システム内部に設定された値に黒白／色素信号成分を出力したり、外部から供給されたデータに応じて黒白／色素信号成分を出力したりしてディスプレイすることにより書面上の色合に合わせてシステムの動作状態及びボードの製作状態を容易に分かることができる。
【００１９】
請求項８記載の第８の発明は、前記色信号判別ステップで判別した結果、色信号がないと入力された信号が正常的な黒白信号であるか否かを判別する黒白信号判別ステップをさらに備えたことを要旨とする。従って、正常的な映像信号が入力されない時にシステムの動作状態及びボードの製作状態を容易に分かることができる。
【００２０】
請求項９記載の第９の発明は、前記黒白信号判別ステップで判別した結果、正常的な黒白信号である場合これをクロックに同期させて出力する第１の出力ステップをさらに備えたことを要旨とする。従って、正常的な映像信号が入力されない時にシステムの動作状態及びボードの製作状態を容易に分かることができる。
【００２１】
請求項１０記載の第１０の発明は、前記黒白信号判別ステップで判別した結果、正常的な黒白信号でないとき黒白信号を設定されたレベルに変更した後クロックに同期して出力する第２の出力ステップをさらに備えたことを要旨とする。従って、正常的な映像信号が入力されない時にシステムの動作状態及びボードの製作状態を容易に分かることができる。
【００２２】
【発明の実施の形態】
以下、添附の図面に基づき本発明をさらに詳細に説明する。
【００２３】
図１は本発明による複合映像機器の出力映像信号変換装置を示したものであり、図２は本発明による複合映像機器の出力映像信号変換装置の作動を説明するフローチャートである。
【００２４】
図１において、黒白／色信号分離手段１０は量子化された複合映像信号を入力して黒白信号（輝度信号）成分Ｙと色信号成分Ｃとに分離して出力するように構成されている。色信号復調手段４０は前記黒白／色信号分離手段１０から出力される色信号成分を復調してカラー搬送波信号に変調されている水平色素信号成分と垂直色素信号成分とを分離するように構成されている。
【００２５】
一方、ロック検出手段６０は上記色信号復調手段４０から出力される信号が正常的な信号であるか否かを検出してこれに該当するロック信号、すなわち正常的な信号である時は“ハイ”レベルを有するロック信号を後述の黒白信号制御手段２０及び色信号制御手段５０のマルチプレクサＭＵＸ１，ＭＵＸ３に供給するように構成されている。
【００２６】
そして、色信号制御手段５０は、画面に表示しようとする色素信号が水平成分信号であるか、それとも垂直成分信号であるかを選擇するために外部から供給される信号Ｃｂ／Ｃｒに従って水平色素信号の制御データ入力手段４２と垂直色素信号の制御データ入力手段４４とから出力されるデータマルチプレクスして出力するマルチプレクサＭＵＸ２と、該マルチプレクサＭＵＸ２より出力される信号成分と前記色信号復調手段４０から出力された色素信号成分をロック信号のレベルによりマルチプレクスして出力するマルチプレクサＭＵＸ３とから成っている。
【００２７】
第２の遅延手段７０は、黒白／色信号分離手段１０に映像信号が入力されるかどうかを検出してこれの当該信号（Ｖｉｄｅｏ）を出力する映像信号検出手段１２の出力により前記色信号制御手段５０から出力される色素信号成分を出力するとか初期値に設定された色素信号を出力するようにＤ型フリップフロップより構成されている。
【００２８】
一方、黒白信号制御手段２０は、ユーザが所望の黒白信号成分を調整するためのデータを入力する黒白信号制御データ入力手段１５から出力された信号と黒白／色信号分離手段１０から出力される黒白信号成分Ｙとをロック検出手段６０から出力されるロック信号（Ｌｏｃｋ）によりマルチプレクスして出力するマルチプレクサＭＵＸ１から構成されている。第１の遅延手段３０は黒白／色信号分離手段１０に映像信号が入力されるかどうかを検出して、これに該当する信号（Ｖｉｄｅｏ）を出力する映像信号検出手段１２の出力により前記黒白信号制御手段２０から出力される黒白信号成分Ｙを出力するとか初期値に設定された黒白信号を出力するようにＤ型フリップフロップから構成されている。
【００２９】
前記のような実施形態を持つ本発明による複合映像機器の出力映像信号変換装置の作動を図２に示されたフローチャートを参照しながら詳しく述べると次の通りである。
【００３０】
本発明による複合映像機器の出力映像信号変換装置を採用したシステムにおいてピックアップされた複合映像信号が図２に示されているように量子化された状態で同図のステップＳ１のように映像信号があるか否かを判別して、映像信号が存在しないとステップＳ１０のように初期値に設定された値を出力する。
【００３１】
一方、前記ステップＳ１で判別した結果、映像信号であれば同図のステップＳ２のように色信号であるか、あるいは、ステップＳ７のように正常的な黒白信号であるか否かを判別する図１のロック検出手段６０に入力されると、前記複合映像信号は黒白／色信号分離手段１０で黒白信号成分Ｙと色信号成分Ｃに分離される。前記色信号成分Ｃは色素成分の水平成分のＣｂ信号と垂直成分のＣｒ信号とがカラー搬送波信号に変調されて色素成分を抽出することができないので、前記色信号成分Ｃは色信号復調手段４０に供給されて図２のステップＳ３のように復調される。
【００３２】
前記色信号復調手段４０で復調された色信号Ｃｂ／Ｃｒは、色信号制御手段５０の第２のマルチプレクサＭＵＸ３の一側の入力端子に供給さると同時に、正常的なカラー映像信号が前記色信号復調手段４０から出力されるか否かを図２のステップＳ４のように検出するロック検出手段６０に供給される。
【００３３】
一方、前記第２のマルチプレクサＭＵＸ３の他側の入力端子には画面に表示しようとする色素信号が水平信号であるか否か、もしくは、水平信号であるか否かを選擇するために外部より供給される信号Ｃｂ／Ｃｒに応じて水平色素信号制御データ入力手段４２と垂直色素信号制御データ入力手段４４とから出力されるデータをマルチプレクスする第１のマルチプレクサＭＵＸ２の出力信号が供給される。前記のように第２のマルチプレクサＭＵＸ３の入力端子に色素信号復調手段４０から出力される色素信号と第１のマルチプレクサＭＵＸ２から出力される信号が供給された状態において、ロック検出手段６０から出力されたロック信号のレベルが“１（ハイ）”、すなわち、正常的なカラー映像信号であれば前記第２のマルチプレクサＭＵＸ３は、色信号復調手段４０から出力される信号をマルチプレクスして出力する。前記色信号制御手段５０のマルチプレクサＭＵＸ３から信号が出力されると第２の遅延手段７０は、前記色信号制御手段５０から出力される色素信号を図２のステップＳ５のように出力する。
【００３４】
一方、前記ロック検出手段６０より出力されたロック信号のレベルが“０（ロウ）”、すなわち、正常的なカラー映像信号でなければ前記第２のマルチプレクサＭＵＸ３は、第１のマルチプレクサＭＵＸ２から出力される信号をマルチプレクスして出力する。前記色信号制御手段５０のマルチプレクサＭＵＸ３からから信号が出力されると第２の遅延手段７０は、図２のステップＳ６のように色素信号をホワイトカラーバー（‘１２８’（８Ｂｉｔ基準））で固定して出力する。
【００３５】
前述の図２のステップ７において、ロック信号のレベルに従いＭＵＸ１でマルチプレクシングして正常的な黒白信号ならば第１の遅延手段３０は、図２のステップ８のように黒白／色信号分離手段１０から入力された黒白信号成分（Ｙ）をクロックに同期して出力する。一方、判別により正常的な黒白信号でなければ第１の遅延手段３０は、図２のステップＳ９のよに黒白信号制御データ入力手段１５から入力された初期値に設定された黒色信号をクロックに同期して出力し、画面に表示する。
【００３６】
【発明の効果】
以上説明したように、第１の発明による複合映像機器の出力映像信号変換装置は、量子化された複合映像信号を入力して黒白信号成分と色信号成分に分離して出力する黒白／色信号分離手段と、前記黒白／色信号分離手段から出力される色信号成分から色素成分を分離する色信号復調手段と、前記色信号復調手段に入力された信号や出力される信号が正常的な信号であるか否かを検出してこれに該当するロック信号を出力するロック検出手段と、前記色信号復調手段から出力された色素信号成分と可変設定される色素信号成分をマルチプレクスして出力する色信号制御手段と、前記黒白／色信号分離手段から出力される黒白信号成分と可変設定される黒白信号成分をマルチプレクスして出力する黒白信号制御手段とからなるので、正常的な映像信号が入力されない時システム内部に設定された値に黒白／色素信号成分を出力するとか外部より供給されたデータに応じて黒白／色素信号成分を出力して画面に表示することにより、システムの動作状態及びシステムボードの製作状態が容易に分かるようにする効果を奏する。
【００３７】
第２の発明は、前記ロック検出手段は前記色信号復調手段から出力される信号が正常的な信号であるか否かを検出して所定のレベルを有するロック信号を出力するので、映像信号が正常か否かを判別できる。
【００３８】
第３の発明は、前記色信号制御手段は画面に表示する色素信号が水平色信号であるかどうか、もしくは水平信号であるかどうかを選擇するために外部から供給される信号Ｃｂ，Ｃｒに応じて水平色素信号の制御データ入力手段と垂直色素信号の制御データ入力手段から出力されるデータをマルチプレクスして出力する第１のマルチプレクサと、前記第１のマルチプレクサより出力される信号成分と前記色信号復調手段から出力された色素信号成分を前記ロック検出手段により出力されるロック信号のレベルによりマルチプレクスして出力する第２のマルチプレクサとから構成されているので、システムの動作状態及びシステムボードの製作状態が容易に分かるようになる。
【００３９】
第４の発明は、前記色信号制御手段から出力される色素信号を入力して遅延出力する第２の遅延手段は黒白／色信号分離手段に映像信号が入力されるかどうかを検出してこれに該当する信号（Ｖｉｄｅｏ）を出力する映像信号検出手段の出力に従って前記色信号制御手段より出力される色素信号成分を出力するとか初期値に設定された色素信号を出力するように構成されているので、正常的な映像信号が入力されない時にシステムの動作状態及びボードの製作状態を容易に分かることができる。
【００４０】
第５の発明は、前記黒白信号制御手段はユーザが所望の値に黒白信号成分を調整するためのデータを入力する黒白信号制御データ入力手段から出力された信号と黒白／色信号分離手段から出力される黒白信号成分Ｙをロック検出手段より出力されるロック信号によりマルチプレクスして出力するマルチプレクサから構成されているので、正常的な映像信号が入力されない時にシステムの動作状態及びボードの製作状態を容易に分かることができる。
【００４１】
第６の発明は、前記黒白信号制御手段から出力される黒白信号成分を遅延出力する第１の遅延手段は黒白／色信号分離手段に映像信号が入力されるか否かを検出してこれに該当する信号（Ｖｉｄｅｏ）を出力する映像信号検出手段の出力により前記黒白信号制御手段から出力される黒白信号成分を出力するとか初期値に設定された黒白信号を出力するようにＤ型フリップフロップからなるので、正常的な映像信号が入力されない時にシステムの動作状態及びボードの製作状態を容易に分かることができる。
【００４２】
第７の発明は、量子化された複合映像信号に色信号があるか否かを判別する色信号判別ステップと、前記色信号判別ステップで判別した結果、色信号があると色信号を復調する色信号復調ステップと、前記色信号復調ステップで復調された信号が正常的な映像信号であるか否かを判別する映像信号判別ステップと、
前記映像信号判別ステップで判別した結果、正常的な映像信号である場合色素信号をクロックに同期して出力する色信号出力ステップとからなるので、正常的な映像信号が入力されない時システム内部に設定された値に黒白／色素信号成分を出力したり、外部から供給されたデータに応じて黒白／色素信号成分を出力したりしてディスプレイすることにより画面上の色合に合わせてシステムの動作状態及びボードの製作状態を容易に分かることができる。
【００４３】
第８の発明は、前記色信号判別ステップで判別した結果、色信号がないと入力された信号が正常的な黒白信号であるか否かを判別する黒白信号判別ステップをさらに備えたので、正常的な映像信号が入力されない時にシステムの動作状態及びボードの製作状態を容易に分かることができる。
【００４４】
第９の発明は、前記黒白信号判別ステップで判別した結果、正常的な黒白信号である場合これをクロックに同期させて出力する第１の出力ステップをさらに備えたので、正常的な映像信号が入力されない時にシステムの動作状態及びボードの製作状態を容易に分かることができる。
【００４５】
第１０の発明は、前記黒白信号判別ステップで判別した結果、正常的な黒白信号でないとき黒白信号を設定されたレベルに変更した後クロックに同期して出力する第２の出力ステップをさらに備えたので、正常的な映像信号が入力されない時にシステムの動作状態及びボードの製作状態を容易に分かることができる。
【図面の簡単な説明】
【図１】本発明による複合映像機器の出力映像信号変換装置を示した図である。
【図２】本発明による複合映像機器の出力映像信号変換装置の作動を説明するフローチャートである。
【図３】従来の技術による複合映像機器の出力映像信号変換装置を示したブロック図である。
【符号の説明】
１０  黒白／色信号分離手段
１２  映像信号検出手段
１５  黒白信号制御データ入力手段
２０  黒白信号制御手段
３０  第１の遅延手段
４０  色信号復調手段
５０  色信号制御手段
６０  ロック検出手段
７０  第２の遅延手段
【図１】
0003607015.tif 000002
【図２】
0003607015.tif 000003
【図３】
0003607015.tif 000004